【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
複数の光ビームを射出する光源装置と、前記複数の光ビームを偏向する光偏向器と、前記偏向された複数の光ビームそれぞれに対応して被走査面に集光する走査光学系と、前記複数の光ビームそれぞれに対応して走査光学系と被走査面の間の光路上に、主走査方向、副走査方向ともに屈折力を持たず、且つ入射する光ビームに対し該光ビームの進行方向に垂直な軸に対してある角度を持って傾いて配置される平板ガラスと、を備える光走査装置において、
前記複数の光ビームには、前記光偏向器の反射面の法線に対し副走査方向にある角度を持って入射する光ビームＢ１と、前記光偏向器の反射面の法線に対し平行に入射する光ビームＢ２が含まれ、
前記走査光学系には、前記複数の光ビームそれぞれに対応してレンズ面形状が副走査方向において非対称となる特殊面をもつ走査レンズがお互いに同一形状の個別レンズとして設けられており、
前記光偏向器と被走査面の間の光路上に、前記光ビームＢ１，Ｂ２に対応する個別レンズ、平板ガラスのみを配置すると仮定した場合、
前記光ビームＢ２に対応する個別レンズと前記光ビームＢ１に対応する個別レンズの光ビームの進行方向に対する副走査方向のレンズ面形状の向きが同一となり、
前記光ビームＢ２に対応する前記平板ガラスの該光ビームＢ２の進行方向に垂直な軸に対する傾け方向は、副走査方向において、前記光偏向器における前記光ビームＢ２の反射方向に対する前記光ビームＢ１の反射方向の傾け方向と同じであることを特徴とする光走査装置。
【請求項２】
前記光ビームＢ２に対応する個別レンズと光ビームの進行方向に対する副走査方向のレンズ面形状の向きが同一となる個別レンズを用いた前記光ビームＢ１に対応する平板ガラスの該光ビームＢ１の進行方向に垂直な軸に対する傾け方向は、前記光ビームＢ２に対応する平板ガラスの該光ビームＢ２の進行方向に垂直な軸に対する傾け方向とは逆であることを特徴とする請求項１記載の光走査装置。
【請求項３】
前記光ビームＢ２に対応する個別レンズと光ビームの進行方向に対する副走査方向のレンズ面形状の向きが反転された個別レンズを用いた前記光ビームＢ１に対応する平板ガラスの該光ビームＢ１の進行方向に垂直な軸に対する傾け方向は、前記光ビームＢ２に対応する平板ガラスの該光ビームＢ２の進行方向に垂直な軸に対する傾け方向と同じあることを特徴とする請求項１または２記載の光走査装置。
【請求項４】
前記光ビームＢ２に対応する平板ガラスの該光ビームＢ２の進行方向に垂直な軸に対する傾け角度は、前記光ビームＢ１に対応する平板ガラスの該光ビームＢ１の進行方向に垂直な軸に対する傾け角度とその絶対値が等しいことを特徴とする請求項２または３記載の光走査装置。
【請求項５】
複数の光ビームを射出する光源装置と、前記複数の光ビームを偏向する光偏向器と、前記偏向された複数の光ビームそれぞれに対応して被走査面に集光する走査光学系と、前記複数の光ビームそれぞれに対応して走査光学系と被走査面の間の光路上に、主走査方向、副走査方向ともに屈折力を持たず、且つ入射する光ビームに対し該光ビームの進行方向に垂直な軸に対してある角度を持って傾いて配置される平板ガラスと、を備える光走査装置において、
前記複数の光ビームには、前記光偏向器の反射面の法線に対して副走査方向に入射角度が異なる光ビームが含まれ、
該光偏向器の反射面の法線に対して副走査方向に入射角度が異なる光ビームごとで、該光ビームに対応する平板ガラスの前記光ビームの進行方向に垂直な軸に対する傾け角度が異なることを特徴とする光走査装置。
【請求項６】
前記複数の光ビームには、前記光偏向器の反射面の法線を含む水平面を挟んで副走査方向の異なる側からそれぞれある角度を持ち該光偏向器に入射する複数の光ビームが含まれ、
前記光偏向器の反射面の法線を含む水平面を挟んで副走査方向の一方の側からある角度を持って該光偏向器に入射する光ビームに対応する平板ガラスの該光ビームの進行方向に垂直な軸に対する傾け方向は、前記光偏向器の反射面の法線を含む水平面を挟んで副走査方向の他方の側からある角度を持って該光偏向器に入射する光ビームに対応する平板ガラスの該光ビームの進行方向に垂直な軸に対する傾け方向とは逆であることを特徴とする請求項１または５記載の光走査装置。
【請求項７】
前記光源装置は、複数の光ビームを射出するマルチビーム光源装置であることを特徴とする請求項１〜６のいずれかに記載の光走査装置。
【請求項８】
電子写真プロセスを実行することによって画像を形成する画像形成装置であって、
電子写真プロセスの露光プロセスを実行する手段として請求項１〜７のいずれかに記載の光走査装置を具備することを特徴とする画像形成装置。
【手続補正２】
【補正対象書類名】明細書
【補正対象項目名】００１１
【補正方法】変更
【補正の内容】
【００１１】
前記課題を解決するために提供する本発明は、以下の通りである。
〔１〕  複数の光ビームを射出する光源装置と、前記複数の光ビームを偏向する光偏向器と、前記偏向された複数の光ビームそれぞれに対応して被走査面に集光する走査光学系と、前記複数の光ビームそれぞれに対応して走査光学系と被走査面の間の光路上に、主走査方向、副走査方向ともに屈折力を持たず、且つ入射する光ビームに対し該光ビームの進行方向に垂直な軸に対してある角度を持って傾いて配置される平板ガラスと、を備える光走査装置において、前記複数の光ビームには、前記光偏向器の反射面の法線に対し副走査方向にある角度を持って入射する光ビームＢ１と、前記光偏向器の反射面の法線に対し平行に入射する光ビームＢ２が含まれ、前記走査光学系には、前記複数の光ビームそれぞれに対応してレンズ面形状が副走査方向において非対称となる特殊面をもつ走査レンズがお互いに同一形状の個別レンズとして設けられており、前記光偏向器と被走査面の間の光路上に、前記光ビームＢ１，Ｂ２に対応する個別レンズ、平板ガラスのみを配置すると仮定した場合、前記光ビームＢ２に対応する個別レンズと前記光ビームＢ１に対応する個別レンズの光ビームの進行方向に対する副走査方向のレンズ面形状の向きが同一となり、前記光ビームＢ２に対応する前記平板ガラスの該光ビームＢ２の進行方向に垂直な軸に対する傾け方向は、副走査方向において、前記光偏向器における前記光ビームＢ２の反射方向に対する前記光ビームＢ１の反射方向の傾け方向と同じであることを特徴とする光走査装置。
〔２〕  前記光ビームＢ２に対応する個別レンズと光ビームの進行方向に対する副走査方向のレンズ面形状の向きが同一となる個別レンズを用いた前記光ビームＢ１に対応する平板ガラスの該光ビームＢ１の進行方向に垂直な軸に対する傾け方向は、前記光ビームＢ２に対応する平板ガラスの該光ビームＢ２の進行方向に垂直な軸に対する傾け方向とは逆であることを特徴とする前記〔１〕記載の光走査装置。
〔３〕  前記光ビームＢ２に対応する個別レンズと光ビームの進行方向に対する副走査方向のレンズ面形状の向きが反転された個別レンズを用いた前記光ビームＢ１に対応する平板ガラスの該光ビームＢ１の進行方向に垂直な軸に対する傾け方向は、前記光ビームＢ２に対応する平板ガラスの該光ビームＢ２の進行方向に垂直な軸に対する傾け方向と同じあることを特徴とする前記〔１〕または〔２〕記載の光走査装置。
〔４〕  前記光ビームＢ２に対応する平板ガラスの該光ビームＢ２の進行方向に垂直な軸に対する傾け角度は、前記光ビームＢ１に対応する平板ガラスの該光ビームＢ１の進行方向に垂直な軸に対する傾け角度とその絶対値が等しいことを特徴とする前記〔２〕または〔３〕記載の光走査装置。
〔５〕  複数の光ビームを射出する光源装置と、前記複数の光ビームを偏向する光偏向器と、前記偏向された複数の光ビームそれぞれに対応して被走査面に集光する走査光学系と、前記複数の光ビームそれぞれに対応して走査光学系と被走査面の間の光路上に、主走査方向、副走査方向ともに屈折力を持たず、且つ入射する光ビームに対し該光ビームの進行方向に垂直な軸に対してある角度を持って傾いて配置される平板ガラスと、を備える光走査装置において、前記複数の光ビームには、前記光偏向器の反射面の法線に対して副走査方向に入射角度が異なる光ビームが含まれ、該光偏向器の反射面の法線に対して副走査方向に入射角度が異なる光ビームごとで、該光ビームに対応する平板ガラスの前記光ビームの進行方向に垂直な軸に対する傾け角度が異なることを特徴とする光走査装置。
〔６〕  前記複数の光ビームには、前記光偏向器の反射面の法線を含む水平面を挟んで副走査方向の異なる側からそれぞれある角度を持ち該光偏向器に入射する複数の光ビームが含まれ、前記光偏向器の反射面の法線を含む水平面を挟んで副走査方向の一方の側からある角度を持って該光偏向器に入射する光ビームに対応する平板ガラスの該光ビームの進行方向に垂直な軸に対する傾け方向は、前記光偏向器の反射面の法線を含む水平面を挟んで副走査方向の他方の側からある角度を持って該光偏向器に入射する光ビームに対応する平板ガラスの該光ビームの進行方向に垂直な軸に対する傾け方向とは逆であることを特徴とする前記〔１〕または〔５〕記載の光走査装置。
〔７〕  前記光源装置は、複数の光ビームを射出するマルチビーム光源装置であることを特徴とする前記〔１〕〜〔６〕のいずれかに記載の光走査装置。
〔８〕  電子写真プロセスを実行することによって画像を形成する画像形成装置であって、電子写真プロセスの露光プロセスを実行する手段として前記〔１〕〜〔７〕のいずれかに記載の光走査装置を具備することを特徴とする画像形成装置。